(57)【要約】【課題】断熱作用を発揮する空隙を有する二重容器を、一体成形物として構成することにより、断熱機能を発揮する二重容器を、通常の壜体の外観体裁を維持したまま、簡単に、また安価に製造できるようにする。【解決手段】少なくとも胴部７を、間に空隙１１を有して、上端を一体に連結した二重壁構造とし、胴部７の外側壁を構成する胴外筒９の下端部である、内方に湾曲したカール部２２の内周端縁を、胴部７の内側壁を構成する胴内筒８の下端部から底部１０の周端部にかけての部分に、密に接着固定させて、空隙１１を密閉構造として、壜体状に二重容器を構成し、優れた断熱効果を発揮する二重容器を、通常の壜体と同様の外観体裁を維持し、簡単に取扱うことができるようにした。【選択図】図１
2005047563.tif 000002
【特許請求の範囲】
【請求項１】
下端を底部(10)で塞いだ胴部(7)の上端に、肩部(4)を介して口筒部(2)を連設して壜体状にブロー成形された合成樹脂製の二重容器(1)であって、少なくとも前記胴部(7)を、間に空隙(11)を有し、上端を一体に連結した二重壁構造とし、前記胴部(7)の外側壁を構成する胴外筒(9)の下端部である、内方に湾曲したカール部(22)の内周端縁を、前記胴部(7)の内側壁を構成する胴内筒(8)の下端部から底部(10)の周端部にかけての部分に、密に接着固定させて、前記空隙(11)を密閉構造とした二重容器。
【請求項２】
肩部(4)から胴部(7)を二重壁構造とした請求項１記載の二重容器。
【請求項３】
カール部(22)で脚部を形成した請求項１または２記載の二重容器。
【請求項４】
下端を底部(10)で塞いだ胴部(7)の上端に、肩部(4)を介して口筒部(2)を連設し、少なくとも前記胴部(7)を、間に空隙(11)を有する二重壁構造とした、壜体状にブロー成形される合成樹脂製の二重容器(1)の成形方法であって、口筒部(14)の下端から、肩相当部(16)と胴内筒相当部(17)と底相当部(18)とから成る有底筒状の本体部(15)と、少なくとも胴外筒相当部(21)を有し、前記本体部(15)を、間に空隙(11)を形成して囲む、筒状のスカート筒部(19)とを垂下状に連設したプリフォーム(12)を成形し、該プリフォーム(12)を、前記スカート筒部(19)の下端部を内方に湾曲させてカール部(22)に加熱成形すると共に、該カール部(22)の内周端縁を、前記本体部(15)の胴内筒相当部(17)の下端部から底相当部(18)の周端部にかけての部分に密に接着固定してから、二重容器(1)にブロー成形する二重容器の成形方法。
【請求項５】
ブロー成形を、二軸延伸ブロー成形とした請求項４記載の二重容器の成形方法。
【請求項６】
カール部(22)の本体部(15)への密な接着固定を、接着剤で達成する請求項４または５記載の二重容器の成形方法。
【発明の詳細な説明】
【技術分野】
【０００１】
本発明は、断熱機能を発揮するブロー成形された壜体状の合成樹脂製二重容器とその成形方法に関するものである。
【背景技術】
【０００２】
収納した内容物に対して断熱作用を発揮する合成樹脂製容器として、外容器体と内容器体とを、間に空隙を形成させて組合わせ、この外容器体と内容器体との間に形成された空隙により断熱作用を得るようにした二重容器が知られている。
【０００３】
上記した構成の二重容器は、既に一定形状に成形されている外容器体と内容器体とを、そのまま組合わせるので、その構造が、外容器体と内容器体とを組合わせることが可能なもの、例えばどんぶり状とかカップ状となっているのが一般である。
【特許文献１】特開２００２−２８２１１０号公報
【０００４】
このものは、容器の外観形状および構造が大幅に制限されてしまい、基本的には、大きな開口部を有する構造となるので、液体を収納保持するには、きわめて不向きである、と云う不満があった。
【０００５】
この不満を解消するものとして、外容器体と内容器体とをそれぞれ壜体状に成形しておき、上下に２分割した外容器体の上半分を、その口部で内容器体に組付け固定し、外容器体の下半分を、内容器体に被せるようにして、外容器体の上半分に連結固定することにより、外観形状が壜体状となった二重容器を構成したものがある。
【特許文献２】特開２００２−６８３２４号公報
【０００６】
この外観形状が壜体状である二重容器は、通常の壜体と同様に、液体収納容器として適正に機能させることができるのであるが、その成形は、２分割した外容器体の一方を、内容器体に一定姿勢で組付け、この組付け状態を一定に維持したまま、他方を一方に連結固定することにより達成されるものとなっている。
【発明の開示】
【発明が解決しようとする課題】
【０００７】
このため、一つの二重容器を製作するのに要する部品数が、少なくとも三つ必要となり、それだけ部品の取扱いが煩雑で面倒となり勝ちとなる、と云う問題があった。
【０００８】
また、上下に２分割した外容器体を繋ぎ合わせて二重容器を完成させるので、この外容器体の繋ぎ合わせ部分が、容器の外観を著しく悪化させる恐れが高く、このため外容器体の繋ぎ合わせ部分を隠蔽する必要があり、その分、構成が複雑化し、容器の製造価格が高くなる、と云う問題があった。
【０００９】
すなわち、壜体状の二重容器を成形するに際しては、外容器体を、少なくとも２分割して、内容器体の外容器体内への挿入組付けを可能とする必要があったのである。
【００１０】
そこで、本発明は、上記した従来技術における問題点を解消すべく創案されたもので、断熱作用を発揮する空隙を有する二重容器を、一体成形物として構成することを技術的課題とし、もって断熱機能を発揮する二重容器を、通常の壜体の外観体裁を維持したまま、取扱いが簡単でかつ、安価に製造できるようにすることを目的とする。
【課題を解決するための手段】
【００１１】
上記技術的課題を解決する本発明の内、請求項１記載の発明の手段は、
下端を底部で塞いだ胴部の上端に、肩部を介して口筒部を連設して壜体状にブロー成形された合成樹脂製の二重容器であること、
少なくとも胴部を、間に空隙を有し、上端を一体に連結した二重壁構造とすること、
胴部の外側壁を構成する胴外筒の下端部である、内方に湾曲したカール部の内周端縁を、胴部の内側壁を構成する胴内筒の下端部から底部の周端部にかけての部分に、密に接着固定させて、空隙を密閉構造としたこと、
にある。
【００１２】
この請求項１記載の発明にあっては、少なくとも胴部が、間に空隙を設けた二重壁構造となっているので、この空隙が断熱作用を発揮し、二重容器を断熱容器として機能させる。
【００１３】
形成された空隙は密閉構造であるので、熱対流等の作用により、空隙に対する空気の出入りにより断熱作用が低下する恐れが全くなく、このため優れた断熱効果を安定的に発揮する。
【００１４】
二重壁構造部分の上端が、相互にかつ口筒部に対して一体に連結した構成となっているので、この部分、すなわち肩部から胴部にかけての部分には、外観体裁を劣化させる恐れのある、組合わせ面による線が現われることがなく、平滑な外表面を形成する。
【００１５】
また、胴内筒の下端部から底部の周端部にかけての部分に、密に接着固定されたカール部の内周端は、ほぼ例外なく成形された二重容器の下面側に位置することになるので、二重容器を起立載置した状態では、隠れて目視されない状態となり、それゆえこの接着固定部分が、二重容器の外観体裁に悪影響を与えることはない。
【００１６】
請求項２記載の発明は、請求項１記載の発明の構成に、肩部から胴部を二重壁構造とした、ことを加えたものである。
【００１７】
この請求項２記載の発明にあっては、肩部と胴部のほぼ全域に空隙を位置させることができるので、この肩部と胴部のほぼ全域に断熱作用を発揮させることができ、これにより容器としてより大きな断熱効果を発揮することになる。
【００１８】
請求項３記載の発明は、請求項１または２記載の発明の構成に、カール部で脚部を形成した、ことを加えたものである。
【００１９】
この請求項３記載の発明にあっては、二重壁構造となっていない底部を床面から浮上げることができるので、その分、底部に対する断熱作用を得ることができる。
【００２０】
また、本発明の内、請求項４記載の発明の手段は、
下端を底部で塞いだ胴部の上端に、肩部を介して口筒部を連設し、少なくとも胴部を、間に空隙を有する二重壁構造とした、壜体状にブロー成形される合成樹脂製の二重容器の成形方法であること、
口筒部の下端から、肩相当部と胴内筒相当部と底相当部とから成る有底筒状の本体部と、少なくとも胴外筒相当部を有し、本体部を、間に空隙を形成して囲む、筒状のスカート筒部とを垂下状に連設したプリフォームを成形すること、
このプリフォームを、スカート筒部の下端部を内方に湾曲させてカール部に加熱成形すると共に、このカール部の内周端縁を、本体部の胴内筒相当部の下端部から底相当部の周端部にかけての部分に密に接着固定してから、二重容器にブロー成形すること、
にある。
【００２１】
この請求項４記載の発明にあっては、本体部とスカート筒部との間に形成されている空隙が密閉構造となっているので、プリフォームを、既存の金型装置を利用して、既存の成形手順で二重容器にブロー成形することができる。
【００２２】
カール部と本体部との接着固定部分は、他の本体部およびスカート筒部と同様に、ブロー成形処理を受けるので、その外表面部分が成形型面に押付けられて平滑に成形され、これにより接着固定跡が段状もしくは線状に残って、外観体裁に悪影響を与える、と云う不都合の発生はなくなる。
【００２３】
プリフォームは、口筒部と本体部とスカート筒部とから成る一体成形物であるので、組立て等の部品相互間の取扱い処理が全く不要であり、その分、成形時の取扱いが簡単となる。
【００２４】
請求項５記載の発明は、請求項４記載の発明の構成に、ブロー成形を、二軸延伸ブロー成形とした、ことを加えたものである。
【００２５】
この請求項５記載の発明にあっては、成形される二重容器に、二軸延伸ブロー成形に伴う物性の向上を付与することが可能となり、これにより二重容器の内容物収納特性および機械的強度の向上を得ることができる。
【００２６】
請求項６記載の発明は、請求項４または５記載の発明の構成に、カール部の本体部への密な接着固定を、接着剤で達成する、ことを加えたものである。
【００２７】
この請求項６記載の発明にあっては、カール部が密に接着固定される本体部の部分に対して、熱的影響を全く与えることなく、密で強固な接着を確実に達成できる。
【発明の効果】
【００２８】
本発明は、上記した構成となっているので、以下に示す効果を奏する。
請求項１記載の発明にあっては、少なくとも胴部を、間に空隙を有する二重壁構造としたので、この空隙が断熱作用を発揮し、断熱容器としての機能を確実に発揮する。
【００２９】
二重壁構造を構成する両壁部分の上端は、相互にかつ口筒部に一体に連結しているので、この部分、すなわち肩部から胴部にかけての外表面は、外観体裁を損なう恐れのある組合わせ面による線が現われることがなく、外観体裁の良い平滑な面となる。
【００３０】
本体部に密に接着固定されるカール部の内周端縁は、成形された二重容器を起立載置した状態では、胴部で隠れることになるので、この部分が二重容器の外観体裁を害する恐れは全くない。
【００３１】
請求項２記載の発明にあっては、肩部と胴部のほぼ全域に断熱作用を発揮させることができるので、より大きな断熱効果を発揮することができる。
【００３２】
請求項３記載の発明にあっては、二重壁構造となっていない底部に対する断熱作用を得ることができるので、容器全体としての断熱効果を飛躍的に高めることができる。
【００３３】
請求項４記載の発明にあっては、プリフォームを、既存の金型装置を利用して、既存の成形手順で二重容器にブロー成形することができるので、その成形が容易であると共に、安価で安全なものとなる。
【００３４】
カール部と本体部との接着固定部分もブロー成形処理を受けるので、その外表面部分が平滑に成形されることになり、これによりその外観が、容器の外観体裁に悪影響を与えることは全くない。
【００３５】
また、プリフォームは一体成形物であるので、その取扱いが簡単であり、それゆえ効率の良い成形操作を得ることができる。
【００３６】
請求項５記載の発明にあっては、二重容器に、二軸延伸ブロー成形に伴う物性の向上を付与することができ、これにより丈夫で安全な二重容器を得ることができる。
【００３７】
請求項６記載の発明にあっては、カール部と本体部との密な接着固定を、安全にかつ簡単にそして確実に達成することができる。
【発明を実施するための最良の形態】
【００３８】
以下、本発明の実施例を、図面を参照しながら説明する。
図１は、本発明による二重容器１の第一の実施例を示す半縦断面図で、二重容器１は、外周面に、螺条と、この螺条の下位にネックリング３とを突条設した口筒部２と、この口筒部２の下端に、下方に拡径したテーパ筒状に連設された肩部４と、肩部４の下端から垂下状に連設された胴部７と、そしてこの胴部７の下端を閉鎖する底部１０とから構成されている。
【００３９】
肩部４は単体壁構造となっているが、胴部７は、間に空隙１１を位置させ、上端を肩部４に一体連結した、胴内筒８と胴外筒９とにより二重壁構造となっている。
【００４０】
この胴部７に形成された空隙１１は、胴外筒９の下端部で、内方に湾曲成形されたカール部２２の内周端縁が、胴部内筒８の下端部に、密に接着固定されることにより、密閉構造に構成されている。
【００４１】
このように、空隙１１は密閉構造となっているので、熱対流等により断熱能力が低下することはなく、一定した断熱効果を安定して発揮することになる。
【００４２】
底部１１は、中央部分を二重容器１内に球弧殻状に陥没させ、その周端部分を脚部として機能させている。
【００４３】
図２〜図４は、図１に示した実施例の成形方法の一例を示すもので、図２に示したプリフォーム１２は、図１に示した二重容器１におけるネックリング３を有する口筒部２と全く同じ構成の、ネックリング１４を有する口筒部１３の下端から、この口筒部１３を下方に延長させた形態で、上端部を肩相当部１６、中央部分を胴内筒相当部１７、そして下端部を底相当部１８とした、有底筒状の本体部１５を垂下設すると共に、この本体部１５の肩相当部１６の下端部から、本体部１５を、間に空隙１１を形成して囲む、胴外筒相当部２１から成る筒状のスカート筒部１９を垂下設した構成で、射出成形されている。
【００４４】
このプリフォーム１２は、スカート筒部１９の下端部を、内方に湾曲成形してカール部２２に成形し、このカール部２２の内周端縁を、本体部１５の胴内筒相当部１７の下端部に接着剤で密に接着固定した構造（図３参照）に成形されてから、保持治具２３に組付けられたまま、加熱されて二重容器１に成形される。
【００４５】
ブロー金型装置２４（図４参照）は、割金型２５と底金型２６と、そして延伸ピン（図示省略）とから構成されていて、通常の二軸延伸ブロー成形装置と全く同じ構造となっており、そして従来からの手順と同じ手順で、プリフォーム１２を二重容器１に二軸延伸ブロー成形する。
【００４６】
このプリフォーム１２から二重容器１への二軸延伸ブロー成形に際して、空隙１１は密閉構造であるので、ブロー圧力により潰されることなく、空隙状態を安定して維持し、二重容器１の二重構造を確実に確保する。
【００４７】
図５は、本発明による二重容器１の第二の実施例を示す半縦断面図で、この第二の実施例は、肩部４も、間に空隙１１を位置させた、胴部７の胴内筒８と一体連結した肩内筒５と、胴外筒９と一体連結した肩外筒６とから成る二重壁構造に構成したものである。
【００４８】
この第二の実施例にあっては、空隙１１が、胴部７だけではなく、肩部４にも延長して位置するので、肩部４から胴部７にかけての略全域で断熱機能を発揮することができ、その分、高い断熱効果を発揮する。
【００４９】
第二の実施例を成形するプリフォーム１２は、図６に示すように、スカート筒部１９を、本体部１５の肩相当部１６の上端から一体連結したものとし、胴外筒相当部２１の上位に肩外筒相当部２０を形成した構成としており、本体部１５の肩相当部１６が、肩内筒５に成形されることになる。
【００５０】
図７は、本発明による二重容器１の第三の実施例を示す半縦断面図で、この第三の実施例は、二重容器１の脚部を、カール部２２で形成する構成となっている。
【００５１】
この図７に示した第三の実施例にあっては、二重容器１の載置面と収納された内容物との間に、空隙１１または空間が必ず位置することになるので、この空隙１１または空間が、内容物に対する載置面からの熱影響を効果的に遮断することになる。
【００５２】
第三の実施例を成形するプリフォーム１２は、図８に示すように、スカート筒部１９のカール部２２の内周端縁を、本体部１５の底相当部１８の中央部付近に、密に接着固定した構成となっており、カール部２２の一部が、底部１０の一部を構成することになる。
【００５３】
なお、上記の説明においては、プリフォーム１２の二重容器１への成形を、二軸延伸ブロー成形で説明したが、これに限定されることはなく、単純なブロー成形で成形することも可能である。
【図面の簡単な説明】
【００５４】
【図１】本発明による二重容器の第一の実施例を示す、半縦断正面図である。
【図２】図１の実施例を成形するに用いる、プリフォームを示す縦断正面図である。
【図３】図２に示したプリフォームにカール部を加工した縦断正面図である。
【図４】図３に示したプリフォームの二軸延伸ブロー成形処理を示す説明図である。
【図５】本発明による二重容器の第二の実施例を示す、半縦断正面図である。
【図６】図５の実施例を成形するに用いる、プリフォームを示す縦断正面図である。
【図７】本発明による二重容器の第三の実施例を示す、半縦断正面図である。
【図８】図７の実施例を成形するに用いる、プリフォームにカール部を加工した縦断正面図である。
【符号の説明】
【００５５】
１    ；  二重容器
２    ；  口筒部
３    ；  ネックリング
４    ；  肩部
５    ；  肩内筒
６    ；  肩外筒
７    ；  胴部
８    ；  胴内筒
９    ；  胴外筒
１０  ；  底部
１１  ；  空隙
１２  ；  プリフォーム
１３  ；  口筒部
１４  ；  ネックリング
１５  ；  本体部
１６  ；  肩相当部
１７  ；  胴内筒相当部
１８  ；  底相当部
１９  ；  スカート筒部
２０  ；  肩外筒相当部
２１  ；  胴外筒相当部
２２  ；  カール部
２３  ；  保持治具
２４  ；  ブロー金型装置
２５  ：  割金型
２６  ；  底金型
【図１】
2005047563.tif 000003
【図２】
2005047563.tif 000004
【図３】
2005047563.tif 000005
【図４】
2005047563.tif 000006
【図５】
2005047563.tif 000007
【図６】
2005047563.tif 000008
【図７】
2005047563.tif 000009
【図８】
2005047563.tif 000010